(57)【要約】【課題】撮影画像と、取得した情報との対応付けを適切に行うこと。【解決手段】デジタルカメラ１０は、撮影指示に応じて画像を取得する撮影部１３と、撮影部１３で取得された画像のデータファイルを記録媒体５０に記録する記録部２０と、画像のデータファイルが記録媒体５０に記録される前に、画像を取得した旨を外部機器３０へ知らせ、外部機器３０で取得された上記知らせに対応する位置情報、および位置情報に基づいて外部機器３０で取得された情報を、直近の撮影指示に応じて取得された画像のデータファイルが記録媒体５０に記録された後に、外部機器３０から取得する通信部１６と、通信部１６で外部機器３０から取得した情報と記録部２０が記録した画像のデータファイルとを対応付けるデータ管理部１７と、を備える。【選択図】図２
2014230198.tif 000002
【特許請求の範囲】
【請求項１】
撮影指示に応じて画像を取得する撮影部と、
前記撮影部で取得された画像のデータファイルを記録媒体に記録する記録部と、
前記画像のデータファイルが前記記録媒体に記録される前に、画像を取得した旨を外部機器へ知らせ、前記外部機器で取得された前記知らせに対応する位置情報、および前記位置情報に基づいて前記外部機器で取得された情報を、直近の撮影指示に応じて取得された画像のデータファイルが前記記録媒体に記録された後に、前記外部機器から取得する通信部と、
前記通信部で前記外部機器から取得した情報と前記記録部が記録した画像のデータファイルとを対応付けるデータ管理部と、
を備えることを特徴とするデジタルカメラ。
【請求項２】
請求項１に記載のデジタルカメラにおいて、
前記通信部は、前記直近の撮影指示に応じて取得された画像のデータファイルが前記記録部によって前記記録媒体に記録された後であって次の撮影指示がない場合に、前記外部機器から前記位置情報および前記情報を取得することを特徴とするデジタルカメラ。
【請求項３】
請求項１または２に記載のデジタルカメラにおいて、
前記位置情報に基づいて前記外部機器で取得された情報には、地名、施設名、およびイベント名の少なくとも１つの名称と、当該名称に関連する情報であって当該名称に基づいて検索された情報とが含まれることを特徴とするデジタルカメラ。
【請求項４】
請求項１〜３のいずれか一項に記載のデジタルカメラにおいて、
前記通信部は、前記知らせに対する前記外部機器からの返信を受信し、
前記通信部で前記返信が受信された旨を知らせる報知部をさらに備えることを特徴とするデジタルカメラ。
【請求項５】
請求項１〜４のいずれか一項に記載のデジタルカメラにおいて、
前記通信部は、前記外部機器で取得された位置情報、および前記位置情報に基づいて前記外部機器で取得された情報を、一撮影ごとにまとめた情報として前記外部機器から取得することを特徴とするデジタルカメラ。
【発明の詳細な説明】
【技術分野】
【０００１】
本発明は、デジタルカメラに関する。
【背景技術】
【０００２】
撮影した画像のデータのヘッダ部に、画像についての付加情報を書き込むカメラが知られている（特許文献１参照）。カメラは、メニュースイッチ操作によって付加情報を取得する操作がなされると、カメラ内蔵のＧＰＳアンテナで衛星からの信号を受信して測位を行う。そして、カメラに携帯電話機が接続されると、該携帯電話機から現在位置に近いアクセスポイントへダイヤルさせ、さらに該携帯電話機を介して現在位置情報をサーバーへ送り、現在位置の周辺地図、現在位置の気象、現在位置の名称等の詳細情報をリクエストする。カメラは、スイッチ操作に応じて画像を選択し、選択画像のデータのヘッダ部へサーバーから取得した情報を付加する。
【先行技術文献】
【特許文献】
【０００３】
【特許文献１】特開２００１−２１１３６４号公報
【発明の概要】
【発明が解決しようとする課題】
【０００４】
従来技術では、カメラ自身で現在位置を取得していたために、位置情報と撮影画像との対応を管理できた。しかしながら、カメラ側にＧＰＳアンテナを持たせずに、携帯電話機側で現在位置、現在位置の周辺地図、現在位置の名称等の詳細情報の取得を行わせようとすると、撮影画像と位置情報等との対応付けが困難である。
【課題を解決するための手段】
【０００５】
本発明によるデジタルカメラは、撮影指示に応じて画像を取得する撮影部と、撮影部で取得された画像のデータファイルを記録媒体に記録する記録部と、画像を取得した旨を外部機器へ知らせ、外部機器で取得された知らせに対応する位置情報、および位置情報に基づいて外部機器で取得された情報を、直近の撮影指示に応じて取得された画像のデータファイルが記録媒体に記録された後に、外部機器から取得する通信部と、通信部で外部機器から取得した情報と記録部が記録した画像のデータファイルとを対応付けるデータ管理部と、を備えることを特徴とする。
【発明の効果】
【０００６】
本発明によるデジタルカメラでは、撮影画像と、外部機器から取得した情報との対応付けを適切に行える。
【図面の簡単な説明】
【０００７】
【図１】本発明の一実施の形態によるデジタルカメラの構成を例示するブロック図である。
【図２】デジタルカメラの構成を例示するブロック図である。
【図３】デジタルカメラを含む全体構成による処理の流れを説明するフローチャートである。
【発明を実施するための形態】
【０００８】
以下、図面を参照して本発明を実施するための形態について説明する。本発明の一実施の形態によるデジタルカメラ１０は、撮影した画像に検索用の情報（例えばキーワード）を関連づけるため、当該情報をスマートフォン等の高機能携帯電話機３０から取得する。
【０００９】
図１は、デジタルカメラ１０を含む全体構成を例示する図である。デジタルカメラ１０のユーザーは、高機能携帯電話機３０を携行しながら、デジタルカメラ１０で撮影を行う。デジタルカメラ１０と高機能携帯電話機３０との間は、例えば、Bluetooth（登録商標）などの近距離無線通信によって接続されている。
【００１０】
図１において、サーバー４１と、無線ＬＡＮ(Local Area Network)のアクセスポイント４３、４３Ｂとがネットワーク４２に接続されている。サーバー４１は、公知の検索サービスを提供するＷｅｂサイトを構成する。
【００１１】
アクセスポイント４３、４３Ｂは、駅や商業施設等に設置されており、例えばホットスポットと呼ばれる。高機能携帯電話機３０と無線接続されているデジタルカメラ１０は、高機能携帯電話機３０の無線ＬＡＮ機能を用いて、アクセスポイント４３経由でサーバー４１へアクセスできる。なお、高機能携帯電話機３０の電話機能を用いて、図示しない携帯電話回線網を経由してネットワーク４２上のサーバー４１へアクセスしても構わない。
【００１２】
サーバー４１は、記憶装置、データ処理装置、およびネットワーク４２との間の通信制御装置等によって構成され、情報提供に必要なデータ等を管理する。
【００１３】
図２は、デジタルカメラ１０の構成を例示するブロック図である。図２においてデジタルカメラ１０は、撮像光学系１１と、絞り１２と、撮像素子１３と、画像処理部１４と、表示部１５と、通信部１６と、ＣＰＵ１７と、ＲＡＭ１８と、フラッシュメモリ１９と、画像記録／再生部２０と、操作部材２１と、地磁気センサ２２と、絞り駆動部２３と、を備える。
【００１４】
撮像光学系１１は、撮像素子１３の撮像面に被写体像を結像させる。撮像光学系１１は、フォーカシングレンズを含む複数のレンズ群で構成される。絞り１２は、撮像素子１３に入射する被写体光量を調節する。絞り１２の開口径は、絞り駆動部２３によって駆動制御される。絞り駆動部２３に対する駆動指示は、ＣＰＵ１７が行う。
【００１５】
撮像素子１３は、ＣＭＯＳイメージセンサなどによって構成される。撮像素子１３は、撮像面上に結像された被写体像を撮像画素で光電変換し、画像信号を出力する。画像処理部１４は、撮像素子１３から読み出され、図示しないＡ／Ｄ変換部でデジタル信号に変換された画像信号に対して所定の画像処理を行う。画像処理部１４はさらに、画像処理後の画像データに基づく再生画像を表示部１５に表示させるためのリサイズ処理などを行う。
【００１６】
表示部１５は液晶パネルによって構成される。表示部１５は、ライブビュー画像や再生画像、メニュー画面などを表示する。通信部１６は、ＣＰＵ１７からの指示に応じて無線通信を行う。通信部１６は、高機能携帯電話機３０との間の近距離無線通信と、無線ＬＡＮのアクセスポイント４３を経由する無線通信と、携帯電話回線網を経由する無線通信とが可能に構成されている。
【００１７】
ＣＰＵ１７は、ＲＡＭ１８を作業領域として制御プログラムを実行し、デジタルカメラ１の各部に対する種々の制御を行う。ＣＰＵ１７はさらに、画像信号から被写体の明るさを検出し、検出結果に基づいてＡＰＥＸ演算により露出値を求め、ＩＳＯ感度や絞り値、シャッター速度を決定する。また、画像データを格納した所定形式の画像ファイルを生成したり、圧縮処理を行ったりする。フラッシュメモリ１９は、ＣＰＵ１７が実行するプログラムやデータを格納する。
【００１８】
画像記録／再生部２０は、ＣＰＵ１７からの指示に基づいて画像ファイルを記録媒体５０に記録したり、記録媒体５０に記録されている画像ファイルを読出したりする。記録媒体５０は、例えば、図示しないカードスロットに着脱自在に取り付けられるメモリカードによって構成される。
【００１９】
操作部材２１は、電源スイッチ、シャッターボタン、およびコマンドダイヤルなどを含み、各操作に応じた操作信号をＣＰＵ１７へ送出する。コマンドダイヤルは、絞り値やシャッター速度を設定するためのダイヤルである。
【００２０】
地磁気センサ２２は、例えば３軸式の磁気センサで構成される。ＣＰＵ１７は、地磁気センサ２２から出力される各軸成分の磁気検出信号に基づいて、デジタルカメラ１０の撮像光学系１１が向いている方位（撮影する方位）および仰角を演算する。仰角は、撮影方向を示す直線と地平線方向を示す直線が作る角度であり、仰角９０度が天頂に相当する。
【００２１】
＜情報ファイル＞
本実施形態のＣＰＵ１７は、記録媒体５０に撮りためた画像を検索するための情報ファイルを生成し、この情報ファイルを画像記録／再生部２０によって記録媒体５０に記録させる。情報ファイルには、各撮影画像の個別情報を含める。一般に、各画像ファイルにはExif情報として撮影日時や撮影位置、撮影方向、撮影条件を示す情報などが含まれる。情報ファイルには、Exif情報に含まれない他の情報、例えば、撮影位置（緯度経度情報）に対応する場所や地域の名称、施設名称、イベント名称、その他関連するキーワードなどをテキストデータとして含める。なお、Exif情報に含まれているデータをテキスト化して情報ファイルに含めてもよい。
【００２２】
＜情報ファイルに含める情報の取得＞
デジタルカメラ１０は、ＧＰＳ衛星からの電波を受信するＧＰＳ受信部を備えていない。このため、ＣＰＵ１７は、ユーザーが携行する高機能携帯電話機３０から撮影位置情報（緯度経度情報）を取得する。ＣＰＵ１７はさらに、撮影位置に対応する場所や地域の名称、施設名称、イベント名称、これらに関連するワード群の情報も高機能携帯電話機３０から取得する。
【００２３】
一方、高機能携帯電話機３０は、ＧＰＳ衛星から受信した電波に基づいて撮影位置を演算する。高機能携帯電話機３０は、ＧＰＳ衛星からの電波を受信できない場合でも、無線ＬＡＮのアクセスポイント４３から受信した電波から当該アクセスポイント４３の位置情報に基づいて撮影位置を演算する。
【００２４】
高機能携帯電話機３０はさらに、ネットワーク４２上の検索サイトへアクセスし、撮影位置に対応するＰＯＩ（Point of interest）情報をサーバー４１から取得する。これにより、地域名称、施設名称などが得られる。高機能携帯電話機３０はさらに、ネットワーク４２上の検索サイトにより、地域名称や施設名称をキーワードとして検索を行う。高機能携帯電話機３０は、検索でヒットしたワード群を、上記撮影位置とともにデジタルカメラ１０へ送信する。
【００２５】
＜フローチャートの説明＞
デジタルカメラ１０を含む全体構成による処理の流れについて、図３のフローチャートを参照して説明する。図３において、左側にデジタルカメラ１０（ＣＰＵ１７）による処理の流れを示し、右側に高機能携帯電話機３０による処理の流れを示す。なお、デジタルカメラ１０と高機能携帯電話機３０との間は、近距離無線通信によって接続されているものとする。
【００２６】
＜デジタルカメラ１０の処理＞
ＣＰＵ１７は、操作部材２１の操作によって撮影モードに設定されると、図３による処理を起動させる。図３のステップＳ１０１において、ＣＰＵ１７は、レリーズ操作されたか否かを判定する。レリーズ操作は撮影指示に相当する。ＣＰＵ１７は、操作部材２１を構成するシャッターボタンが押下されレリーズ操作信号が入力されると、ステップＳ１０１を肯定判定してステップＳ１０２へ進む。レリーズ操作信号が入力されない場合のＣＰＵ１７は、ステップＳ１０１を否定判定して当該判定処理を繰り返す。ステップＳ１０１を否定判定する場合は、例えば測光処理を繰り返しながらレリーズ操作を待つ。
【００２７】
ステップＳ１０２において、ＣＰＵ１７は画像取得を行う。ＣＰＵ１７は、上記ＡＰＥＸ演算に基づいて決定した絞り値およびシャッター速度へ制御し、撮像素子１３に撮像させてステップＳ１０３へ進む。取得画像のデータは、バッファメモリとして機能するＲＡＭ１８に格納される。ステップＳ１０３において、ＣＰＵ１７は通信部１６へ指示を送り、撮影した旨を高機能携帯電話機３０へ知らせる送信を行わせ、ステップＳ１０４へ進む。
【００２８】
ステップＳ１０４において、ＣＰＵ１７は、ＲＡＭ１８に格納された画像データに対して画像処理部１４で所定の画像処理を行わせてステップＳ１０５へ進む。ステップＳ１０５において、ＣＰＵ１７は、画像処理後の画像データを格納した所定形式の画像ファイルを生成するファイル化を行ってステップＳ１０６へ進む。
【００２９】
ステップＳ１０６において、ＣＰＵ１７は、高機能携帯電話機３０から送信されるＡＣＫ信号を受信し、その旨を知らせるマークを表示部１５に表示させてステップＳ１０７へ進む。なお、高機能携帯電話機３０からのＡＣＫ信号を受信しない場合は、マークを表示することなくステップＳ１０７へ進む。
【００３０】
ステップＳ１０７において、ＣＰＵ１７は、レリーズ操作されたか否かを判定する。ＣＰＵ１７は、操作部材２１を構成するシャッターボタンが押下されレリーズ操作信号が入力されている場合は、ステップＳ１０７を肯定判定してステップＳ１０２へ戻り、上述した処理を繰り返す。レリーズ操作信号が入力されない場合のＣＰＵ１７は、ステップＳ１０７を否定判定してステップＳ１０８へ進む。ステップＳ１０７でレリーズ操作判定するのは、連写が行われる場合に画像ファイルの記録終了を待たずに次コマの画像を取得するためである。
【００３１】
ステップＳ１０８において、ＣＰＵ１７は画像記録／再生部２０へ指示を送り、ＲＡＭ１８内の画像ファイルを記録媒体５０に記録させてステップＳ１０９へ進む。複数コマ撮影した場合は、複数の画像ファイルを記録する。ステップＳ１０９において、ＣＰＵ１７は、終了操作が行われたか否かを判定する。ＣＰＵ１７は、例えば、再生処理モードへの切替え操作が行われた場合に、ステップＳ１０９を肯定判定して処理を終了する。ＣＰＵ１７は、再生処理モードへ切替え操作されない場合には、ステップＳ１０９を否定判定してステップＳ１０１へ戻る。ステップＳ１０１へ戻る場合は上述した処理を繰り返す。
【００３２】
ステップＳ１１０において、ＣＰＵ１７は、撮影画像に関する情報（上記情報ファイルに含める情報であって、各撮影画像についての個別情報）を要求する。具体的には、ＣＰＵ１７は通信部１６を介して高機能携帯電話機３０へ情報要求を行ってステップＳ１１１へ進む。ステップＳ１１１において、ＣＰＵ１７は、高機能携帯電話機３０から情報を取得してステップＳ１１２へ進む。取得する情報は、上述したように、地域名称、施設名称、イベント名称などに加え、ネットワーク４２上の検索サイトでヒットしたワード群である。
【００３３】
ステップＳ１１２において、ＣＰＵ１７は、取得した情報に基づいて情報ファイルを生成し、生成した情報ファイルを画像記録／再生部２０によって記録媒体５０に記録（更新）させて、図３による処理を終了する。
【００３４】
＜高機能携帯電話機３０の処理＞
高機能携帯電話機３０は、例えば、上記情報ファイルに含める情報を取得するアプリケーションプログラムを実行するためのアイコンが選択されると、図３による処理を起動させる。図３のステップＳ２０１において、高機能携帯電話機３０は、いわゆるＧＰＳロガー処理を開始させる。すなわち、所定時間ごとに位置情報を取得し、取得した現在位置と時刻の関係を内部メモリに一時記憶させてステップＳ２０２へ進む。
【００３５】
ステップＳ２０２において、高機能携帯電話機３０は、デジタルカメラ１０から撮影した旨を受信したか否かを判定する。高機能携帯電話機３０は、受信した場合にステップＳ２０２を肯定判定してステップＳ２０３へ進み、受信しない場合にはステップＳ２０２を否定判定してステップＳ２１０へ進む。
【００３６】
ステップＳ２０３において、高機能携帯電話機３０は、デジタルカメラ１０へＡＣＫ送信を行ってステップＳ２０４へ進む。ステップＳ２０４において、高機能携帯電話機３０は、現在位置情報（直近の位置情報）および現時刻を内部メモリに記憶させてステップＳ２０５へ進む。
【００３７】
ステップＳ２０５において、高機能携帯電話機３０は、デジタルカメラ１０から撮影した旨を受信したか否かを判定する。高機能携帯電話機３０は、受信した場合にステップＳ２０５を肯定判定してステップＳ２０３へ戻り、上述した処理を繰り返す。高機能携帯電話機３０は、受信しない場合にはステップＳ２０５を否定判定してステップＳ２０６へ進む。撮影した旨の受信を再度判定するのは、連写が行われた場合においてステップＳ２０６以降の処理より撮影位置情報を残す処理を優先させるためである。
【００３８】
ステップＳ２０６において、高機能携帯電話機３０は、上述したネットワーク４２上の検索サイトへアクセスし、内部メモリに記憶した撮影位置ごとに情報検索を行ってステップＳ２０７へ進む。撮影位置ごとに検索するのは、撮影位置が共通する場合に重複する検索を避けるためである。ステップＳ２０７において、高機能携帯電話機３０は、検索によって得た情報を一撮影ごとにまとめて内部メモリに記憶し、ステップＳ２０８へ進む。一撮影ごとにまとめるのは、撮影位置が共通する場合であっても撮影画像ごとに情報を付加させるためである。
【００３９】
ステップＳ２０８において、高機能携帯電話機３０は、デジタルカメラ１０からの情報要求を受信したか否かを判定する。高機能携帯電話機３０は、情報要求を受信した場合にステップＳ２０８を肯定判定してステップＳ２０９へ進み、情報要求を受信しない場合にはステップＳ２０８を否定判定してステップＳ２０２へ戻る。ステップＳ２０２へ戻る場合は上述した処理を繰り返す。
【００４０】
ステップＳ２０９において、高機能携帯電話機３０は、ステップＳ２０７において一撮影ごとにまとめて記憶しておいた情報をデジタルカメラ１０へ送信してステップＳ２１０へ進む。ステップＳ２１０において、終了操作が行われたか否かを判定する。高機能携帯電話機３０は、終了操作が行われた場合にステップＳ２１０を肯定判定して処理を終了する。高機能携帯電話機３０は、終了操作が行われない場合は、ステップＳ２１０を否定判定してステップＳ２０２へ戻る。ステップＳ２０２へ戻る場合は上述した処理を繰り返す。
【００４１】
以上説明した実施形態によれば、次の作用効果が得られる。
（１）デジタルカメラ１０は、撮影指示に応じて画像を取得する撮像素子１３と、撮像素子１３で取得された画像のデータファイルを記録媒体５０に記録する画像記録／再生部２０と、撮像素子１３で画像を取得した旨を高機能携帯電話機３０へ知らせ、この知らせに対応し、高機能携帯電話機３０で取得された撮影位置、および撮影位置に基づいて高機能携帯電話機３０で取得された名称、ワード群を高機能携帯電話機３０から取得する通信部１６と、通信部１６で高機能携帯電話機３０から取得した撮影位置、名称、ワード群と画像記録／再生部２０が記録した画像のデータファイルとを対応付けるＣＰＵ１７と、を備える。これにより、撮影画像と、高機能携帯電話機３０から取得した撮影位置、名称、ワード群との対応付けを適切に行える。デジタルカメラ１０にＧＰＳ受信器を設けなくてよいので、ＧＰＳ受信器を設ける場合に比べてカメラの消費電力を低減できる。
【００４２】
（２）上記（１）のデジタルカメラ１０において、通信部１６は、撮像素子１３で取得された画像のデータファイルが画像記録／再生部２０によって記録媒体５０に記録される前に、撮像素子１３で画像を取得した旨を高機能携帯電話機３０へ知らせ、直近の撮影指示に応じて撮像素子１３で取得された画像のデータファイルが画像記録／再生部２０によって記録媒体５０に記録された後に、高機能携帯電話機３０から撮影位置、名称、ワード群を取得する。これにより、撮影した旨を先に高機能携帯電話機３０へ知らせて高機能携帯電話機３０における検索処理を可能にし得る。さらに、直近の、すなわち最終コマの撮影画像のファイルの記録を待って機能携帯電話機３０から撮影位置、名称、ワード群を取得するので、情報取得よりも一連の撮影、記録処理を優先し得る。
【００４３】
（３）上記（２）のデジタルカメラ１０において、通信部１６は、直近の撮影指示によって撮像素子１３で取得された画像のデータファイルが画像記録／再生部２０によって記録媒体５０に記録された後であって次の撮影指示がない場合に、高機能携帯電話機３０から撮影位置、名称、ワード群を取得する。これにより、次の撮影指示がある場合には、情報取得より撮影を優先し得る。
【００４４】
（４）上記デジタルカメラ１０において、撮影位置に基づいて高機能携帯電話機３０で取得された情報には、地名、施設名、およびイベント名の少なくとも１つの名称と、当該名称に関連する情報であって当該名称に基づいて検索されたワード群とが含まれる。これにより、例えば記録媒体５０の中に多数の画像を撮りためた場合に、イベント名をキーワードに検索できるから、特定の画像を探しやすくなる。
【００４５】
（５）上記デジタルカメラ１０において、通信部１６は、上記知らせに対する高機能携帯電話機３０からのＡＣＫ信号を受信し、通信部１６でＡＣＫ信号が受信された旨を知らせるＣＰＵ１７、表示部１５をさらに備えるので、撮影した旨が高機能携帯電話機３０へ伝えられたことを、デジタルカメラ１０のユーザーに知らせることができる。
【００４６】
（６）上記デジタルカメラ１０において、通信部１６は、高機能携帯電話機３０で取得された撮影位置、および撮影位置に基づいて高機能携帯電話機３０で取得された名称、ワード群を、一撮影ごとにまとめた情報として高機能携帯電話機３０から取得する。これにより、例えば続けて撮影した後の場合には、複数コマの撮影に関する撮影位置、名称、ワード群を区別なく取得する場合に比べて、撮影画像との対応付けが容易となる。
【００４７】
（変形例１）
上述した説明では、高機能携帯電話機３０が、ネットワーク４２上の検索サイトにより地域名称や施設名称をキーワードとして検索を行う例を説明した。これに加えて、デジタルカメラ１０から高機能携帯電話機３０へ撮影方位、仰角、撮影画角、焦点距離の情報をそれぞれ送信し、高機能携帯電話機３０がこれらの情報に基づいて検索を行うように構成してもよい。例えば、高機能携帯電話機３０が受信情報を地図データと対比して撮影画像に含まれる可能性のある建造物を特定し、この建造物の名称をキーワードとして検索を行う。
【００４８】
（変形例２）
デジタルカメラ１０が高機能携帯電話機３０から取得する情報に画像を含めてもよい。例えば、同じ撮影位置で同じ方位を撮影した画像であって、撮影時刻が異なる画像や、季節が異なる画像を含める。
【００４９】
以上の説明はあくまで一例であり、上記の実施形態の構成に何ら限定されるものではない。
【符号の説明】
【００５０】
１０…デジタルカメラ
１３…撮像素子
１５…表示部
１６…通信部
１７…ＣＰＵ
１８…ＲＡＭ
１９…フラッシュメモリ
２０…画像記録／再生部
２１…操作部材
３０…高機能携帯電話機
４１…サーバー
４２…ネットワーク
４３、４３Ｂ…アクセスポイント
【図１】
2014230198.tif 000003
【図２】
2014230198.tif 000004
【図３】
2014230198.tif 000005